(57)【特許請求の範囲】
【請求項１】
電気機器の筐体を取り付け面に取り付ける取り付け具であって、
上記筐体の第１面側と、上記第１面に対向し、上記第１面とは形状の異なる上記筐体の第２面側とから、上記筐体を挟み込むようにコの字形状に形成されており、
上記筐体の上記第２面を上記取り付け面に対向させて取り付ける表付け状態において、上記筐体の上記第２面に設けられた筐体側取付け部と対応する位置に設けられた第１取付け部と、
上記筐体の上記第１面を上記取り付け面に対向させて取り付ける裏付け状態において、上記筐体の上記筐体側取付け部と対応する位置に設けられた第２取付け部と、
上記取り付け具を上記取り付け面に取り付けるための第３取付け部と、
を備えることを特徴とする取り付け具。
【請求項２】
上記筐体には、上記第１面および上記第２面のうち少なくとも一方に突出部が設けられており、
上記表付け状態および上記裏付け状態のいずれにおいても、上記筐体の上記突出部が嵌りこむ切欠き部を備えることを特徴とする請求項１に記載の取り付け具。
【請求項３】
請求項１または２に記載の取り付け具と、
上記取り付け具を取り付けた電気機器の筐体を取り付け面に取り付けるために、上記取り付け面に設けられるベース部材であって、上記筐体の上記第１面および上記第２面のうち少なくとも一方に設けられた突出部が嵌りこむ収容部を備えるベース部材と、
を備えることを特徴とする取り付けシステム。
【請求項４】
上記ベース部材は、上記取り付け面から上記筐体に向う凸形状である凸部を備えており、
上記凸部には、上記取り付け具に設けられた第３取付け部と対応する位置に、取り付け面側取付け部が設けられていることを特徴とする請求項３に記載の取り付けシステム。
【請求項５】
請求項１または２に記載の取り付け具を用いて取り付け面に取り付けられる電気機器の筐体であって、
第１面と、上記第１面に対向し、上記第１面とは形状の異なる第２面とを有し、
上記第２面には、上記取り付け具を取り付けるための筐体側取付け部を備えており、
請求項１または２に記載の取り付け具を備えている
ことを特徴とする電気機器の筐体。
【発明の詳細な説明】
【技術分野】
【０００１】
本発明は、電気機器の取り付け具、ベース部材および電気機器の筐体に関する。
【背景技術】
【０００２】
機器を卓上に設置するため、または、壁面に取り付けるための機器取り付け具が従来技術として知られている。
【０００３】
例えば、特許文献１には、卓上面あるいは壁面に当接する底板部と、この底板部の両端から突出して形成されている係止側片とを有する取り付け具が開示されている。また、特許文献１に開示されている機器は、取り付け具に対応するために、取り付け具の係止側片に嵌合係止できる開口部を備えている。
【先行技術文献】
【特許文献】
【０００４】
【特許文献１】特開２００２−１３４９３６号公報（２００２年５月１０日公開）
【発明の概要】
【発明が解決しようとする課題】
【０００５】
しかしながら、上述のような従来技術では、取り付け具の装着に障害となる構造体などが電気機器の一方の面のみに備わっている場合、当該一方の面には取り付け具を取り付けることができない。そのため、取り付け面に対向させる電気機器の面が制限され、電気機器の取り付け方向が制限される。例えば、電気機器の外部接続端子を備えている面を向けられる方向が制限されて、電気機器からの配線の引き出し方向に自由度を持たすことができないという問題が生じる。
【０００６】
本発明は上記の問題点に鑑みなされたものであって、その目的は電気機器の取り付け時に、電気機器の向きを容易に調整できる取り付け具を提供することにある。
【課題を解決するための手段】
【０００７】
上記の課題を解決するために、本発明の一態様に係る取り付け具は、電気機器の筐体を取り付け面に取り付ける取り付け具であって、上記筐体の第１面側と、上記第１面に対向し、上記第１面とは形状の異なる上記筐体の第２面側とから、上記筐体を挟み込むようにコの字形状に形成されており、上記筐体の上記第２面を上記取り付け面に対向させて取り付ける表付け状態において、上記筐体の上記第２面に設けられた筐体側取付け部と対応する位置に設けられた第１取付け部と、上記筐体の上記第１面を上記取り付け面に対向させて取り付ける裏付け状態において、上記筐体の上記筐体側取付け部と対応する位置に設けられた第２取付け部と、上記取り付け具を上記取り付け面に取り付けるための第３取付け部と、を備える。
【発明の効果】
【０００８】
本発明の一態様によれば、電気機器の向きに自由度を持たすことができ、電気機器の取り付け時に、電気機器の向きを容易に調整できるという効果を奏する。
【図面の簡単な説明】
【０００９】
【図１】本発明の実施形態１に係る取り付け金具およびベース金具を用いて、ディスプレイに取り付けた電気機器を示す斜視図である。（ａ）は電気機器の筐体の底面をディスプレイに対向させて取り付けた状態の電気機器を示す図であり、（ｂ）は電気機器の筐体の天面をディスプレイに対向させて取り付けた状態の電気機器を示す図である。
【図２】本発明の実施形態１に係る電気機器を示す斜視図である。（ａ）は、電気機器の筐体の側面を含む斜視図である。（ｂ）は、実施の形態１における、電気機器の筐体の底面を含む斜視図である。（ｃ）は、実施の形態１における、電気機器の筐体の天面を含む斜視図である。
【図３】本発明の実施形態１に係る取り付け金具を示す斜視図である。（ａ）は、第１取り付け金具を示す図であり、（ｂ）は第２取り付け金具を示す図である。
【図４】本発明の実施形態１に係る、電気機器の筐体の底面を取り付け面に対向させて取り付けた場合の取り付け金具の装着状態を示す図である。
【図５】本発明の実施形態１に係る、電気機器の筐体の天面を取り付け面に対向させて取り付けた場合の取り付け金具の装着状態を示す図である。
【図６】本発明の実施形態１に係るベース金具を示す斜視図である。
【図７】本発明の実施形態１に係る、電気機器の筐体の底面を取り付け面に対向させて取り付けた場合のベース金具の装着状態を示す図である。
【図８】本発明の実施形態１に係る、筐体と第１取り付け金具あるいは第２取り付け金具との位置関係、第１取り付け金具あるいは第２取り付け金具とベース金具との位置関係、および、ベース金具とディスプレイとの位置関係を示す図である。
【図９】本発明の実施形態２に係る、電気機器と第１取り付け金具および第２取り付け金とベース金具との取り付け状態を示す図である。
【発明を実施するための形態】
【００１０】
〔実施形態１〕
以下、本発明の実施の形態について、詳細に説明する。但し、本実施形態およびその他の実施形態に記載されている構成部品の寸法、材質、形状、その相対配置などは特に特定的な記載がない限り、この発明の範囲をそれのみに限定する趣旨ではなく、単なる説明例に過ぎない。
【００１１】
本発明の一実施形態において、図１から図８を用いて説明する。
【００１２】
（概要）
本発明は、電気機器の筐体を取り付け面に取り付ける取り付け金具に係るものである。本明細書においては、ディスプレイ等の画像表示装置に、該画像表示装置の画像表示を制御する電気機器を取り付けるための取り付け金具について例示する。画像表示装置は、例えば、デジタルサーネージ等であってもよい。なお、取り付ける電気機器の種類および該電気機器が取り付けられる対象（取り付け面）は、特に限定されない。
【００１３】
図１は、本実施形態１に係る第１取り付け金具１（取り付け具）および第２取り付け金具２（取り付け具）、ベース金具３（ベース部材）を用いて、電気機器４をディスプレイ７に取り付けた状態を示す斜視図である。（ａ）は電気機器４における筐体４０の底面４１（第２面）をディスプレイ７に対向させて取り付けた状態（表付け状態）の電気機器４を示す図であり、（ｂ）は電気機器４における筐体４０の天面４２（第１面）をディスプレイ７に対向させて取り付けた状態（裏付け状態）の電気機器４を示す図である。
【００１４】
ここで、筐体４０をディスプレイ７の背面の取り付け面に取り付ける手順について説明する。はじめに、第１取り付け金具１および第２取り付け金具２を筐体４０に取り付ける。次に、ベース金具３をディスプレイ７の取り付け面に取り付ける。次に、第１取り付け金具１および第２取り付け金具２を取り付けた筐体４０と、ディスプレイ７の取り付け面に取り付けたベース金具３とを取り付ける。
【００１５】
つづいて、電気機器４の筐体４０の各面について説明する、筐体４０は略直方体の形状である。本明細書では、電気機器４を机等の上に平置きした場合に、電気機器４の底面となる面を筐体４０の底面４１とする。底面４１には、平置き時に電気機器４と載置面との間に隙間を確保するため突起６０（突出部）が設けられている。
【００１６】
また、筐体４０の底面４１と対向する面を天面４２とする。また、図１の（ａ）および（ｂ）に示す、ディスプレイ７に取り付けられた場合に上方を向く面を上面４４とし、下方を向く面を下面４３とする。また、底面４１、天面４２、上面４４および下面４３以外の面については、図１の（ｂ）において、手前側を向いている面を第１側面４５とし、図１の（ａ）において、手前側を向いている面を第２側面４６とする。
【００１７】
図１の（ａ）および（ｂ）に示すように、筐体４０の取り付け面に対向する面の四隅には、それぞれ、第１取り付け金具１、または、第２取り付け金具２が取り付けられる。第１取り付け金具１同士の取り付け位置の位置関係は、取り付け面に対向する筐体４０の面おいて対角の位置にある。また、第２取り付け金具２同士の取り付け位置の位置関係も、取り付け面に対向する筐体４０の面において対角の位置にある。
【００１８】
第１取り付け金具１および第２取り付け金具２は、ベース金具３に取り付けられている。ベース金具３はディスプレイ７の背面（取り付け面）に取り付けられている。
【００１９】
図１の（ａ）に示すように、筐体４０の底面４１をディスプレイ７に対向させて取り付けた状態において、図１の（ａ）の手前方向に、筐体４０の第２側面４６が向く。第２側面４６には外部端子接続部５３が設けられている。したがって、外部機器の接続配線の引き出し方向は、図１の（ａ）の手前方向となる。
【００２０】
一方、図１の（ｂ）に示すように、筐体４０の天面４２をディスプレイ７に対向させて取り付けた状態では、図１の（ｂ）の手前方向に、筐体４０の第２側面４６に対向する面である第１側面４５が向く。すなわち、外部端子接続部５３が設けられている第２側面４６は、図１の（ｂ）の奥方向を向く。したがって、外部機器の接続配線の引き出し方向は、図１の（ｂ）の奥方向となる。
【００２１】
上述のように、第１取り付け金具１、第２取り付け金具２およびベース金具３は、筐体４０の底面４１および天面４２のどちらの面をディスプレイ７に対向させても、筐体４０を取り付けることができる。そのため、電気機器４の接続配線の引き出し方向を容易に調整することができる。
【００２２】
例えば、図１の（ａ）および（ｂ）に示すように、ディスプレイ７は、ディスプレイ７と外部機器とを接続するための端子７２を備えている。図１の（ａ）を参照すると、電気機器４を表付け状態とすると、電気機器４の外部端子接続部５３が設けられている第２側面４６が向いている方向は、端子７２が設けられている方向となる。そのため、端子７２に配線が接続されている場合、該配線の接続は、電気機器４の外部端子接続部５３と外部機器との接続を妨げることになる。ディスプレイ７の端子７２に配線が接続されている状態においては、電気機器４を裏付けにすることで（図１の（ｂ）を参照）、電気機器４と外部機器との接続を容易に行うことができる。
【００２３】
（電気機器４の筐体４０）
次に、電気機器４の筐体４０について、図２を用いて説明する。（ａ）は、筐体４０の第２側面４６を含む斜視図である。（ｂ）は、本実施形態における、筐体４０の底面４１を含む斜視図である。（ｃ）は、本実施形態における、筐体４０の天面４２を含む斜視図である。
【００２４】
図２に示すように、電気機器４の筐体４０は、略直方体形状である。筐体４０は、上述したように、底面４１、天面４２、下面４３、上面４４、第１側面４５および第２側面４６を有している。
【００２５】
底面４１には、筐体外部から筐体内部に至る（底面４１を貫通する）通気口を含む第１通気部５１と、突起６０とが設けられる。突起６０は、底面４１の四角近傍に配されており（図２の（ｂ）参照）、電気機器４は、突起６０を４脚とし、平置きが可能である。また、突起６０の近傍にはビス孔６１（筐体側取付け部）が設けられている。
【００２６】
ビス孔６１は、第１取り付け金具１または第２取り付け金具２と、筐体４０とを固定する（取り付ける）ために用いられる。
【００２７】
本実施形態では、筐体４０における、第１取り付け金具１または第２取り付け金具２を固定するビス孔６１は、筐体の１面にのみ設けられている。
【００２８】
上記の構成によれば、筐体４０に不要に多数のビス孔を設ける事によって生じる、デザインへの悪影響を抑える事ができる。
【００２９】
天面４２には、筐体外部から筐体内部に至る（天面４２を貫通する）通気口を含む第２通気部５２が設けられる（図２の（ａ）参照）。
【００３０】
下面４３には、筐体外部から筐体内部に至る（下面４３を貫通する）通気口を含む第３通気部５７が設けられる。
【００３１】
図２の（ａ）に示すように、第２側面４６には、電源スイッチ５６と、外部機器との接続を行なう外部端子接続部５３とが設けられる。外部端子接続部５３は、第１取り付け金具１または第２取り付け金具２の装着状態にて、第１取り付け金具１または第２取り付け金具２に覆われないように、設置されている。例えば、外部端子接続部５３は第２側面４６の縁から所定の距離をおいて設置されてもよい。
【００３２】
図２の（ｃ）に示すように、第１側面４５には、リモコン受光部５４と、筐体外部から筐体内部に至る通気口を含む正面通気部５５が設けられる。
【００３３】
第１通気部５１、第２通気部５２、第３通気部５７および正面通気部５５は電気機器４が発する熱を放熱するためのものである。
【００３４】
（第１取り付け金具１）
次に、第１取り付け金具１について、図３の（ａ）を用いて説明する。図３の（ａ）は、第１取り付け金具１を示す斜視図である。
【００３５】
第１取り付け金具１は、電気機器４を取り付け面に取り付ける取り付け金具である。
【００３６】
第１取り付け金具１は、筐体４０の天面４２側と、天面４２に対向し、天面４２とは形状の異なる底面４１側とから、筐体４０を挟み込むようにコの字形状に形成されている。また、第１取り付け金具１は、筐体４０の底面４１を取り付け面に対向させて取り付ける表付け状態において、筐体４０の底面４１に設けられたビス孔６１と対応する位置に設けられたビス孔１４ｂ（第１取付け部）を備える。また、第１取り付け金具１は、筐体４０の天面４２を取り付け面に対向させて取り付ける裏付け状態において、筐体４０のビス孔６１と対応する位置に設けられたビス孔１４ａ（第２取付け部）を備える。また、第１取り付け金具１は、第１取り付け金具１を取り付け面に取り付けるためのビス孔１５（第３取付け部）を備える。
【００３７】
詳細には、第１取り付け金具１は、図３の（ａ）に示すように、筐体４０への装着状態において、筐体４０の天面４２あるいは底面４１に沿う、第１支持部１１および第２支持部１２を備えている。第１支持部１１および第２支持部１２はお互いが対向している面を備えている。さらに、第１取り付け金具１は、第１支持部１１および第２支持部１２を接続する接続部１３を備えている。
【００３８】
上記の構成によれば、第１取り付け金具１は、表付け状態においては、ビス孔１４ｂが筐体４０の底面４１に設けられたビス孔６１と対応する位置にあり、裏付け状態においては、ビス孔１４ａが筐体４０の底面４１に設けられたビス孔６１と対応する位置にある。そのため、第１取り付け金具１は、筐体４０が表付け状態であっても、裏付け状態であっても、ビス孔１４ｂまたはビス孔１４ａによって、第１取り付け金具１を筐体４０のビス孔６１に固定することができる。
【００３９】
よって、筐体４０の取り付け時に、筐体４０の取り付け状態を、表付け状態および裏付け状態から選択することによって、筐体４０の取り付け方向を、容易に調整することができる。したがって、例えば、電気機器４からの配線の引き出し方向を容易に調整できる。
【００４０】
（第１支持部１１）
第１支持部１１は、ビス孔１４ｂ（第１取付け部）およびビス孔１５（第３取付け部）を備えている。
【００４１】
ビス孔１４ｂは筐体４０と第１取り付け金具１とを固定するために用いられる。ビス孔１４ｂは、筐体４０への装着状態において、筐体４０のビス孔６１に対応する位置に設けられている。ビス孔１５は、第１取り付け金具１とベース金具３とを固定するために用いられる。すなわち、ベース金具３に対して、第１支持部１１が対向して取り付けられる。
【００４２】
また、図３の（ａ）に示すように、第１支持部１１には切欠き部１６ｂが設けられている。上述したように、筐体４０の底面４１には、突起６０（突出部）が設けられている。筐体４０の表付け状態において、切欠き部１６ｂは筐体４０の突起６０が嵌りこむ形状として設けられている。
【００４３】
ここで、図４を用いて、表付け状態における筐体４０への第１取り付け金具１の装着状態について説明する。図４は、電気機器４の底面４１を取り付け面に対向させて取り付けた場合（表付け状態）の筐体４０への第１取り付け金具１および第２取り付け金具２の装着状態を示す図である。図４に示すように、第１取り付け金具１の第１支持部１１は、筐体４０の底面４１に沿って装着されている。第１取り付け金具１と筐体４０とはビス１０によって固定されている。ビス１０は、第１取り付け金具１のビス孔１４ｂを通過し、筐体４０のビス孔６１にて固定されている。その結果、第１取り付け金具１と筐体４０とが固定される。このとき、筐体４０の突起６０は、第１取り付け金具１の切欠き部１６ｂに嵌り込んでいる。
【００４４】
（第２支持部１２）
第２支持部１２は、ビス孔１４ａを備えている。ビス孔１４ａは筐体４０と第１取り付け金具１とを固定するために用いられる。ビス孔１４ａは、筐体４０への装着状態において、筐体４０のビス孔６１に対応する位置に設けられている。また、図３の（ａ）に示すように、第２支持部１２には切欠き部１６ａが設けられている。筐体４０の裏付け状態において、切欠き部１６ａは筐体４０の突起６０が嵌りこむ形状として設けられている。上述のように、第１取り付け金具１には、第１支持部１１においても切欠き部１６ｂが設けられている。
【００４５】
ここで、図５を用いて、裏付け状態において筐体４０への第１取り付け金具１の装着状態について説明する。図５は、電気機器４の天面４２を取り付け面に対向させて取り付けた場合（裏付け状態）の筐体４０への第１取り付け金具１および第２取り付け金具２の装着状態を示す図である。図５に示すように、第１取り付け金具１の第２支持部１２は、筐体４０の底面４１に沿って装着されている。第１取り付け金具１と筐体４０とはビス１０によって固定されている。ビス１０は、第１取り付け金具１のビス孔１４ａを通過し、筐体４０のビス孔６１にて固定されている。そのため、第１取り付け金具１と筐体４０とが固定される。筐体４０の突起６０は、第１取り付け金具１の切欠き部１６ａに嵌り込んでいる。
【００４６】
上述のように、第１取り付け金具１には、筐体４０が表付け状態および上記裏付け状態のいずれにおいても、筐体４０の突起６０が嵌りこむ切欠き部１６ａおよび切欠き部１６ｂが設けられている。
【００４７】
上記の構成によれば、第１取り付け金具１は、筐体４０が表付け状態および裏付け状態のいずれにおいても、筐体４０の突起６０を切欠き部１６ａまたは切欠き部１６ｂに嵌め込むことができる。したがって、表付け状態および裏付け状態のいずれにおいても、筐体４０の突起６０と衝突することなく、筐体４０に第１取り付け金具１を取り付けることができる。
【００４８】
（接続部１３）
接続部１３は、第１支持部１１の縁と第２支持部１２の縁とを接続しており、接続部１３は、第１支持部１１の面および第２支持部１２の面に対して垂直な面を備えている。本実施形態に係る接続部１３は、図４および図５に示すように、筐体４０への装着時に、筐体４０の第２側面４６あるいは第１側面４５に沿うように形成されている。
【００４９】
また、上述のように筐体４０の第２側面４６には外部機器との外部端子接続部５３が設けられている。接続部１３は、第２側面４６に沿うように装着された場合、第２側面４６の外部端子接続部５３を覆わないように、Ｕ字状に形成されている。
【００５０】
第１取り付け金具１は、鋼板、鋼材等から形成されてもよい。第１取り付け金具１を金属で成型する場合、板金成型によって成型してもよい。本実施形態にて示す第１取り付け金具１の形状は、例えば、後述する実施形態３に示す変形例２の第１取り付け金具１および第２取り付け金具２の形状よりも、成型工程が少ないため板金成型を簡易に行うことができる。また、第１取り付け金具１を金属で成型した場合、第１取り付け金具１は、電気機器４の発熱による第１取り付け金具１の変形を抑止することができる。また、第１取り付け金具１の素材として、プラスチックなどの樹脂を用いてもよい。
【００５１】
（第２取り付け金具２）
次に、第２取り付け金具２について、図３の（ｂ）を用いて説明する。図３の（ｂ）は、第２取り付け金具２を示す斜視図である。
【００５２】
図３の（ｂ）に示すように、第２取り付け金具２は第１支持部２１、第２支持部２２および接続部２３を備えている。第１支持部２１には、ビス孔２４ｂ（第１取付け部）、ビス孔２５（第３取付け部）および切欠き部２６ｂが設けられている。また、第２支持部２２には、ビス孔２４ａ（第２取付け部）および切欠き部２６ａが設けられている。
【００５３】
図３の（ａ）および（ｂ）に示すように、第２取り付け金具２は、接続部２３が備えている面に対して第１取り付け金具１と面対称な形状である。第２取り付け金具２の構造は第１取り付け金具１と対照的な形状であり、それ以外は、第１取り付け金具１の構造と同様であるため、ここでの詳細な説明は省略する。
【００５４】
（ベース金具３）
次に、ベース金具３について、図６を用いて説明する。図６はベース金具３を示す斜視図である。
【００５５】
ベース金具３は、第１取り付け金具１および第２取り付け金具２を取り付けた電気機器４の筐体４０を取り付け面に取り付けるために、取り付け面に設けられるものである。
【００５６】
詳細には、図６に示すように、ベース金具３は、第１底部３１、第１凸部３２（凸部）、第２底部３３および第２凸部３４（凸部）から形成されている。
【００５７】
（第１底部３１および第２底部３３）
筐体４０がディスプレイ７に取り付けられた状態において、第１底部３１および第２底部３３は、ディスプレイ７の取り付け面に接する。また、第１底部３１および第２底部３３には、ベース金具３とディスプレイ７とを固定するビス孔３５が設けられている。
【００５８】
（第１凸部３２および第２凸部３４）
第１凸部３２および第２凸部３４は、ディスプレイ７の取り付け面から筐体４０に向う凸形状である。凸形状の頂領域は平面に形成されている。第１凸部３２および第２凸部３４には、第１取り付け金具１に設けられたビス孔１５および第２取り付け金具２に設けられたビス孔２５と対応する位置に、ビス孔３６（取り付け面側取付け部）が設けられている。
【００５９】
上記の構成によれば、第１凸部３２および第２凸部３４は、筐体４０をディスプレイ７の取り付け面に取り付けた状態において、筐体４０とディスプレイ７の取り付け面との間に空隙を形成する。これにより、電気機器４のディスプレイ７への取り付けによって生じる電気機器４およびディスプレイ７の放熱の効率の低下を抑制することができる。
【００６０】
また、第１凸部３２の頂領域および第２凸部３４の頂領域には、筐体４０を表付け状態にした場合に、筐体４０の突起６０が嵌りこむための突起収容孔（収容部）３８が設けられている。
【００６１】
筐体４０を表付け状態（突起６０を備える底面４１を取り付け面に対向させて取り付けられる状態）にした場合に、第１取り付け金具１および第２取り付け金具２が装着されている筐体４０の突起６０が突起収容孔３８に嵌りこむ。そのため、筐体４０の取り付け面に対向する底面４１に突起６０が設けられていても、筐体４０をディスプレイ７に取り付けることができる。
【００６２】
さらに、第１凸部３２の頂領域および第２凸部３４の頂領域には、筐体４０を表付け状態にした場合に、筐体４０と第１取り付け金具１または第２取り付け金具２とを固定するためのビス１０の頭頂部が嵌りこむためのビス収容孔３７が設けられている。また、第１凸部３２の頂領域には、ベース金具３を軽量化するための軽量化孔３９が設けられている。なお、第１凸部３２の頂領域に設けられているビス収容孔３７、突起収容孔３８および軽量化孔３９が、１つの孔として形成されていてもよい。同様に、第２凸部３４の頂領域に設けられているビス収容孔３７および突起収容孔３８が、１つの孔として形成されていてもよい。
【００６３】
ここで、図７を用いて、表付け状態におけるベース金具３の装着状態について説明する。図７は、電気機器４の底面４１を取り付け面に対向する面として取り付けた場合（表付け状態）のベース金具３の装着状態を示す図である。
【００６４】
図７に示すように、ベース金具３のビス孔３６はビス９が嵌り込み、第１取り付け金具１とベース金具３とを固定している。ビス収容孔３７には、筐体４０と第１取り付け金具１または第２取り付け金具２とを固定するためのビス１０の頭頂部が嵌り込んでいる。また、突起収容孔３８には筐体４０の突起６０が嵌り込んでいる。ビス孔３５にはベース金具３とディスプレイ７とを固定するためのビス８が嵌り込んでいる。
【００６５】
図７に示すように、筐体４０の第２側面４６側のベース金具３においては、図７において右側のビス孔３６、ビス収容孔３７および突起収容孔３８が用いられる。また、筐体４０の第１側面４５側のベース金具３においては、図７において左側のビス孔３６、ビス収容孔３７および突起収容孔３８が用いられる。
【００６６】
（位置関係の詳細）
次に、筐体４０と第１取り付け金具１あるいは第２取り付け金具２との位置関係、第１取り付け金具１あるいは第２取り付け金具２とベース金具３との位置関係、および、ベース金具３とディスプレイ７との位置関係について、図８を用いて説明する。図８は、筐体４０と第１取り付け金具１あるいは第２取り付け金具２との位置関係、第１取り付け金具１あるいは第２取り付け金具２とベース金具３との位置関係、および、ベース金具３とディスプレイ７との位置関係を示す図である。
【００６７】
（筐体４０と第１取り付け金具１あるいは第２取り付け金具２との固定）
表付け状態の場合、筐体４０と第１取り付け金具１とは、ビス１０を、第１取り付け金具１のビス孔１４ｂを通過させて筐体４０のビス孔６１（図９に図示せず）に嵌め込むことで固定されている。また、筐体４０と第２取り付け金具２とは、ビス１０を、第２取り付け金具２のビス孔２４ｂを通過させて筐体４０のビス孔６１に嵌め込むことで固定されている。
【００６８】
裏付け状態の場合、筐体４０と第１取り付け金具１とは、ビス１０を、第１取り付け金具１のビス孔１４ａを通過させて筐体４０のビス孔６１（図９に図示せず）に嵌め込むことで固定されている。また、筐体４０と第２取り付け金具２とは、ビス１０を、第２取り付け金具２のビス孔２４ａを通過させて筐体４０のビス孔６１に嵌め込むことで固定されている。
【００６９】
（第１取り付け金具１あるいは第２取り付け金具２とベース金具３との固定）
第１取り付け金具１とベース金具３とは、ビス９を、第１取り付け金具１のビス孔１５を通過させてベース金具３のビス孔３６に嵌め込むことで固定されている。また、第２取り付け金具２とベース金具３とは、ビス９を、第２取り付け金具２のビス孔２５を通過させてベース金具３のビス孔３６に嵌め込むことで固定されている。上記の構成によれば、ディスプレイ７の動作時の振動などの影響を受けずに、ディスプレイ７と筐体４０とを安定に固定することができる。
【００７０】
（ベース金具３とディスプレイ７との固定）
ベース金具３とディスプレイ７とは、ビス８を、ベース金具３のビス孔３５を通過させてディスプレイ７のビス孔７１に嵌め込むことで固定されている。ここで、ディスプレイ７のビス孔７１について説明する。ビス孔７１は、ディスプレイ７の背面（画像を表示する画面を備える面に対向する面）に、正方形の各頂点となるように４つ設けられている。本実施形態では、ビス孔７１をディスプレイ７の背面に形成する構成を例示するが、ビス孔７１の形成位置は特に限定されない。
【００７１】
ディスプレイ７のビス孔７１は、ＶＥＳＡ（Video Electoronics Standard Association）規格における液晶ディスプレイとアームとを取り付ける規格に従って形成されているビス孔を利用してもよい。該規格によるビス孔を利用する場合、ビス孔７１間のサイズは、75ｍｍ×75ｍｍ、100ｍｍ×100ｍｍ、200ｍｍ×200ｍｍ等となる。また、上記規格によって形成されているビス孔を用いずに、本発明の実施に応じて、適宜、ビス孔７１が形成されていてもよい。
【００７２】
なお、本実施形態においては、各部材同士を、ビスを用いて固定する方法について例示したが、例えば、爪嵌合等を用いて固定する構成としてもよい。
【００７３】
〔実施形態２〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。
【００７４】
図９は、本発明の実施形態に係る電気機器４ａと第１取り付け金具１および第２取り付け金具２の取り付け状態を示す図である。図９に示すように、電気機器４ａの筐体４０ａは、天面４２にＮＦＣ（Near Field Communication）基板を内部に搭載したＮＦＣモジュール（突出部）６５を備えている。筐体４０ａへの装着状態において、第１取り付け金具１の切欠き部１６ａおよび第２取り付け金具２の切欠き部２６ａは、ＮＦＣモジュール６５の一部を嵌め込むように形成されている。また、筐体４０ａを裏付け状態とした場合において、ＮＦＣモジュール６５の一部が、第１取り付け金具１の切欠き部１６ｂおよび第２取り付け金具２の切欠き部２６ｂに嵌り込むように、切欠き部１６ｂおよび切欠き部２６ｂが形成されていてもよい。また、ＮＦＣモジュール６５は、筐体４０ａから脱着が可能な構成としてもよい。この場合、筐体４０ａを裏付け状態とした場合に、ＮＦＣモジュール６５を筐体４０ａから外してもよい。
【００７５】
上記の構成によれば、筐体４０ａを表付け状態とした場合においても、筐体４０ａを裏付け状態とした場合においても、天面４２にＮＦＣモジュール６５などの構造体を備えている筐体４０ａに対して、第１取り付け金具１および第２取り付け金具２を装着することができる。したがって、電気機器４のディスプレイ７に対する取り付け状態（裏付け状態と表付け状態との変更）を容易に調整することができる。そのため、電気機器４における外部端子接続部５３を備えている第２側面４６の向きを容易に調整することができる。
【００７６】
〔実施形態３〕
本発明の他の実施形態について説明する。なお、説明の便宜上、前記実施形態にて説明した部材と同じ機能を有する部材については、同じ符号を付記し、その説明を省略する。本実施形態においては、上記実施形態１および実施形態２にて示した第１取り付け金具１および第２取り付け金具２の変形例について説明する。
【００７７】
（変形例１：第１取り付け金具１または第２取り付け金具２とディスプレイ７とが直接固定）
本変形例に係る第１取り付け金具１および第２取り付け金具２は、ベース金具３を介さずに、ディスプレイ７と直接固定される。本変形例に係る第１取り付け金具１および第２取り付け金具２は、取り付け状態において、筐体４０とディスプレイ７との間に空隙が形成されるように形成されていてもよい。
【００７８】
例えば、図３の（ａ）に示される第１取り付け金具１の第１支持部１１を、図３の（ａ）に示す第１支持部１１の上方の縁からのビス孔１５の位置を変えずに、上方に延伸させ、延伸させた第１支持部１１を第１取り付け金具１の外側に向けて折り曲げることによって、第１支持部１１をＺ形状の折り曲げ構造としてもよい。本変形例においては、ビス８を第１支持部１１のビス孔１５を通過させてディスプレイ７のビス孔７１に嵌め込むことによって、第１取り付け金具１とディスプレイ７とを固定する。第２取り付け金具２の第１支持部２１についても上述の第１取り付け金具１の変形例と同様な構造としてもよい。
【００７９】
上記の構成によれば、ベース金具３を用いなくても、筐体４０をディスプレイ７に取り付けることができる。さらに、取り付け状態において、筐体４０とディスプレイ７との間に空隙を形成することができる。そのため、電気機器４およびディスプレイ７の放熱の効率の低下を抑制し、電気機器４をディスプレイ７に対して取り付けることができる。
【００８０】
（変形例２：接続部１３の形状が筐体４０の下面または上面に沿うような形状）
実施形態１および２に係る、第１取り付け金具１の接続部１３および第２取り付け金具２の接続部２３は筐体４０の第１側面４５または第２側面４６に沿うような形状である（図１の（ａ）および（ｂ）を参照）。一方で、本変形例に係る第１取り付け金具１の接続部１３および第２取り付け金具２の接続部２３は、筐体４０への装着状態において、筐体４０の上面４４または下面４３に沿うように形成されている。
【００８１】
上記の構成によれば、筐体４０への装着状態において、接続部１３および接続部２３が筐体４０の下面４３に沿うように位置することになる。そのため、接続部１３および接続部２３は電気機器４を下方から支えるため、電気機器４の取り付けの強度を高めることができる。
【００８２】
（変形例３：コの字形状以外の形状の第１取り付け金具１および第２取り付け金具２）
本変形例においては、第１取り付け金具１および第２取り付け金具２の形状は、コの字形状以外の形状である。例えば、本変形例に係る筐体４０においては、底面４１および天面４２の両面に第１取り付け金具１および第２取り付け金具２との固定のためのビス孔６１が形成されている。そして、本変形例に係る第１取り付け金具１および第２取り付け金具２の形状は、図３の（ａ）に示す第１支持部１１のみからなる形状に形成されている。
【００８３】
（変形例４：筐体４０の第１側面４５および第２側面４６にて固定される、第１取り付け金具１および第２取り付け金具２）
本変形例に係る筐体４０はビス孔６１を底面４１に設ける代わりに、筐体４０の第１側面４５および第２側面４６（例えば、筐体４０の平置き時の高さ方向の中央）に設けている。筐体４０との装着状態において、本変形例に係る第１取り付け金具１の接続部１３には、上記ビス孔６１に対応する位置に、筐体４０と第１取り付け金具１とを固定するためのビス孔が設けられている。また、本変形例に係る第２取り付け金具２においても、上記第１取り付け金具１と同様の構造を有している。
【００８４】
〔まとめ〕
本発明の態様１に係る取り付け具（第１取り付け金具１、第２取り付け金具２）は、電気機器（４、４ａ）の筐体（４０、４０ａ）を取り付け面に取り付ける取り付け具であって、上記筐体の第１面（天面４２）側と、上記第１面に対向し、上記第１面とは形状の異なる上記筐体の第２面（底面４１）側とから、上記筐体を挟み込むようにコの字形状に形成されており、上記筐体の上記第２面を上記取り付け面に対向させて取り付ける表付け状態において、上記筐体の上記第２面に設けられた筐体側取付け部（ビス孔６１）と対応する位置に設けられた第１取付け部（ビス孔１４ｂ、ビス孔２４ｂ）と、上記筐体の上記第１面を上記取り付け面に対向させて取り付ける裏付け状態において、上記筐体の上記筐体側取付け部と対応する位置に設けられた第２取付け部（ビス孔１４ａ、ビス孔２４ａ）と、上記取り付け具を上記取り付け面に取り付けるための第３取付け部（ビス孔１５、ビス孔２５）と、を備える。
【００８５】
上記の構成によれば、上記取り付け具は、表付け状態においては、第１取付け部が筐体の第２面に設けられた筐体側取付け部と対応する位置にあり、裏付け状態においては、第２取付け部が筐体の第２面に設けられた筐体側取付け部と対応する位置にある。そのため、上記取り付け具は、筐体が表付け状態であっても、裏付け状態であっても、第１取付け部または第２取付け部によって、筐体の筐体側取付け部に取り付ける（固定する）ことができる。よって、上記筐体の取り付け時に、上記筐体の取り付け状態を、表付け状態および裏付け状態から選択することによって、上記筐体の取り付け方向を、容易に調整することができる。したがって、例えば、電気機器からの配線の引き出し方向を容易に調整できる。
【００８６】
本発明の態様２に係る取り付け具は、上記態様１において、上記筐体には、上記第１面および上記第２面のうち少なくとも一方に突出部（突起６０、ＮＦＣモジュール６５）が設けられており、上記表付け状態および上記裏付け状態のいずれにおいても、上記筐体の上記突出部が嵌りこむ切欠き部（１６ａ、１６ｂ、２６ａ、２６ｂ）を備えていてもよい。
【００８７】
上記の構成によれば、取り付け具は、上記表付け状態および上記裏付け状態のいずれにおいても、筐体の突出部を切欠き部に嵌め込むことができる。したがって、表付け状態および裏付け状態のいずれにおいても、筐体の突出部と衝突することなく、筐体に取り付け具を取り付けることができる。
【００８８】
本発明の態様３に係るベース部材（ベース金具３）は、上記態様１または２の取り付け具を取り付けた電気機器の筐体を取り付け面に取り付けるために、上記取り付け面に設けられるベース部材であって、上記取り付け面から上記筐体に向う凸形状である凸部（第１凸部３２、第２凸部３４）を備えており、上記凸部には、上記取り付け具に設けられた第３取付け部と対応する位置に、取り付け面側取付け部（ビス孔３６）が設けられる。
【００８９】
上記の構成によれば、上記凸部が電気機器の筐体と取り付け面との間に空隙を形成する。そのため、電気機器の取り付け面への取り付けによって生じる電気機器の放熱の効率の低下を抑制することができる。また、電気機器が取り付けられる被取り付け装置の放熱の効率の低下を抑制することができる。
【００９０】
本発明の態様４に係るベース部材は、上記態様３において、上記筐体の上記第１面および上記第２面のうち少なくとも一方に設けられた突出部（突起６０）が嵌りこむ収容部（突起収容孔３８）を備えていてもよい。
【００９１】
上記の構成によれば、電気機器の筐体が、突出部を備える面を取り付け面に対向させて取り付けられる状態とした場合に、筐体の突出部がベース部材の収容部に嵌りこむ。そのため、取り付け面に対向する筐体の面に突出部が設けられていても、上記筐体を取り付け面に取り付けることができる。
【００９２】
本発明の態様５に係る電気機器の筐体は、態様１または２の取り付け具を用いて取り付け面に取り付けられる電気機器の筐体であって、第１面と、上記第１面に対向し、上記第１面とは形状の異なる第２面とを有し、上記第２面には、上記取り付け具を取り付けるための筐体側取付け部（６１）を備えている。上記の構成によれば、電気機器の筐体は態様１または２の取り付け具を取り付けることができる。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９４】
本発明は、電気機器の取り付け具、ベース具および電気機器の筐体に利用することができる。
【符号の説明】
【００９５】
１                              第１取り付け金具（取り付け具）
２                              第２取り付け金具（取り付け具）
３                              ベース金具（ベース部材）
４、４ａ                        電気機器
１４ａ                          ビス孔（第２取付け部）
１４ｂ                          ビス孔（第１取付け部）
１５                            ビス孔（第３取付け部）
１６ａ、１６ｂ、２６ａ、２６ｂ  切欠き部
２４ａ                          ビス孔（第２取付け部）
２４ｂ                          ビス孔（第１取付け部）
２５                            ビス孔（第３取付け部）
３２                            第１凸部（凸部）
３４                            第２凸部（凸部）
３６                            ビス孔（取り付け面側取付け部）
３８                            突起収容孔（収容部）
４０、４０ａ                    筐体
４１                            底面（第２面）
４２                            天面（第１面）
６０                            突起（突出部）
６１                            ビス孔（筐体側取付け部）
６５                            ＮＦＣモジュール（突出部）
【図１】
0006564211.tif 000002
【図２】
0006564211.tif 000003
【図３】
0006564211.tif 000004
【図４】
0006564211.tif 000005
【図５】
0006564211.tif 000006
【図６】
0006564211.tif 000007
【図７】
0006564211.tif 000008
【図８】
0006564211.tif 000009
【図９】
0006564211.tif 000010